(57)【要約】【課題】工具等を使用することなく、簡単に着脱することができると共にデザイン上も優れたパネルの取付構造及びパネルの取り外し方法並びにその取付構造に適したパネルの載置部材を提供する。【解決手段】装飾パネル２０を立てた状態で載置する載置部材３０と、ベースキャビネット２の背板１１の外面側において、載置部材３０に載置した装飾パネル２０を持ち上げ可能に、装飾パネル２０の上端部を支持するカウンター固定金具７とを備えている。載置部材３０は、装飾パネル２０を載置可能な角筒状の本体部３１と、装飾パネル２０を本体部３１に載置した状態で、本体部３１の下端部前端縁を支点に、背板１１の前方側に回転操作するための操作部３２と、床面にねじ止めされた保持金具１３に吸着されるマグネットユニット３３とから構成されており、操作部３２を操作して載置部材３０を回転させることによって、装飾パネル２０を簡単に取り外すことができる。【選択図】        図１２
2014150866.tif 000002
【特許請求の範囲】
【請求項１】
立ち上がった壁面に沿うように、その壁面の外面側にパネルを着脱自在に取り付けるパネルの取付構造であって、
前記パネルを立てた状態で載置する載置部材と、
壁面の外面側において、前記載置部材に載置した前記パネルを持ち上げ可能に、そのパネルの上端部を支持する上側支持部と
を備え、
前記載置部材は、
前記パネルを立てた状態で載置する本体部と、
前記パネルを前記本体部に載置した状態で、前記本体部の下端部前端縁を支点に、壁面の前方側に回転操作するための操作部と
を有し、
前記パネルは、前記載置部材に載置した状態で、その上端部が前記上側支持部に支持されていることを特徴とするパネルの取付構造。
【請求項２】
設置面または壁面には磁性体によって形成された保持片が固着されており、
前記載置部材の前記本体部には、前記保持片に吸着することによって、前記載置部材を保持する永久磁石が取り付けられている請求項１に記載のパネルの取付構造。
【請求項３】
請求項１または２に記載のパネルの取付構造におけるパネルの取り外し方法であって、
前記載置部材の前記操作部を操作して、前記載置部材を前記本体部の下端部前端縁を支点として壁面の前方側に回転させることによって、前記パネルを一旦持ち上げながら、前記載置部材を前記パネルの下方位置から前方側に待避させ、前記パネルを設置面上に載置することによって、前記上側支持部による前記パネルの支持を解除するようにしたことを特徴とするパネルの取り外し方法。
【請求項４】
請求項１または２に記載のパネルの取付構造に使用される載置部材であって、
前記パネルを立てた状態で載置する載置面を有する本体部と、
前記本体部における載置面の前端縁から立ち上がる操作部と
を備え、
前記パネルを前記本体部の載置面上に載置した状態で、前記操作部を操作することで、前記本体部の下端部前端縁を支点に、壁面の前方側に回転するようになっていることを特徴とする載置部材。
【発明の詳細な説明】
【技術分野】
【０００１】
この発明は、立ち上がった壁面に沿うように、その壁面の外面側にパネルを着脱自在に取り付けるパネルの取付構造及びその取付構造に適したパネルの載置部材並びにパネルの取り外し方法に関する。
【背景技術】
【０００２】
立ち上がった壁面（家具等の板面も含む。）に交換可能な装飾パネル等を着脱自在に取り付ける場合は、通常、装飾パネル等にねじ挿通孔を形成しておき、そのねじ挿通孔に通したねじを壁面や板面等にねじ込むことによって、装飾パネル等を壁面にねじ止めするのが一般的である。
【先行技術文献】
【特許文献】
【０００３】
【特許文献１】特開２００１−１４９１４９号公報
【発明の概要】
【発明が解決しようとする課題】
【０００４】
しかしながら、壁面等にパネルをねじ止めする場合は、そのパネルの着脱にドライバー等の工具を使用しなければならないので、パネルの着脱作業が面倒であると共に、人によっては、自らパネルの着脱を行うことができない場合もある。
【０００５】
また、壁面等にパネルをねじ止めする場合は、固定用のねじが露出することになるので、パネルによっては、デザイン上好ましくない場合も多い。
【０００６】
そこで、この発明の課題は、工具等を使用することなく、簡単に着脱することができると共にデザイン上も優れたパネルの取付構造及びパネルの取り外し方法並びにその取付構造に適したパネルの載置部材を提供することにある。
【課題を解決するための手段】
【０００７】
上記の課題を解決するため、請求項１に係る発明は、立ち上がった壁面に沿うように、その壁面の外面側にパネルを着脱自在に取り付けるパネルの取付構造であって、前記パネルを立てた状態で載置する載置部材と、壁面の外面側において、前記載置部材に載置した前記パネルを持ち上げ可能に、そのパネルの上端部を支持する上側支持部とを備え、前記載置部材は、前記パネルを立てた状態で載置する本体部と、前記パネルを前記本体部に載置した状態で、前記本体部の下端部前端縁を支点に、壁面の前方側に回転操作するための操作部とを有し、前記パネルは、前記載置部材に載置した状態で、その上端部が前記上側支持部に支持されていることを特徴とするパネルの取付構造を提供するものである。
【０００８】
また、請求項２に係る発明は、請求項１に係る発明のパネルの取付構造において、設置面または壁面には磁性体によって形成された保持片が固着されており、前記載置部材の前記本体部には、前記保持片に吸着することによって、前記載置部材を保持する永久磁石が取り付けられていることを特徴としている。
【０００９】
また、請求項３に係る発明は、請求項１または２に係る発明のパネルの取付構造におけるパネルの取り外し方法であって、前記載置部材の前記操作部を操作して、前記載置部材を前記本体部の下端部前端縁を支点として壁面の前方側に回転させることによって、前記パネルを一旦持ち上げながら、前記載置部材を前記パネルの下方位置から前方側に待避させ、前記パネルを設置面上に載置することによって、前記上側支持部による前記パネルの支持を解除するようにしたことを特徴とするパネルの取り外し方法を提供するものである。
【００１０】
また、請求項４に係る発明は、請求項１または２に係る発明のパネルの取付構造に使用される載置部材であって、前記パネルを立てた状態で載置する載置面を有する本体部と、前記本体部における載置面の前端縁から立ち上がる操作部とを備え、前記パネルを前記本体部の載置面上に載置した状態で、前記操作部を操作することで、前記本体部の下端部前端縁を支点に、壁面の前方側に回転するようになっていることを特徴とする載置部材を提供するものである。
【発明の効果】
【００１１】
以上のように、請求項１に係る発明のパネルの取付構造は、パネルを載置部材に載置した状態で、そのパネルを持ち上げ可能に、パネルの上端部が上側支持部に支持されているだけなので、パネルを傾けて載置部材に載せた状態で壁面側に移動させながら、その上端部を上側支持部に支持するだけで、簡単に取り付けることができる。
【００１２】
このように、このパネルの取付構造では、壁面等にパネルをねじ止めする場合とは異なり、パネルの着脱にドライバー等の工具を使用する必要がないので、パネルの着脱作業が繁雑でなく、どのような人でも、自らパネルの着脱を行うことができる。
【００１３】
また、パネルを壁面にねじ止めしているわけではないので、固定用のねじが露出することもなく、デザイン面においても優れている。
【００１４】
また、請求項２に係る発明のパネルの取付構造では、載置部材の本体部に取り付けた永久磁石の磁気吸引力によって、設置面または壁面に固着された磁性体からなる保持片に載置部材が吸着されるので、載置部材が位置ずれし難いと共に、「カチャッ」という吸着音によって、パネルの取付作業が完了したことを確認することができるという効果も得られる。
【００１５】
また、請求項３に係る発明のパネルの取り外し方法は、載置部材の操作部を操作して、載置部材をその本体部の下端部前端縁を支点として壁面の前方側に回転させることによって、パネルを一旦持ち上げながら、載置部材をパネルの下方位置から前方側に待避させるだけで、上側支持部によるパネルの支持を解除することができるので、簡単に取り外すことができる。
【００１６】
また、請求項４に係る発明の載置部材は、操作部が本体部における載置面の前端縁から立ち上がっているので、操作部が係止部としての機能も果たすことになり、本体部の載置面に載置したパネルが載置部材から脱落することがない。
【図面の簡単な説明】
【００１７】
【図１】（ａ）はこの発明に係るパネルの取付構造の一実施形態を採用したベースキャビネットを組み込んだ対面型のシステムキッチンを示す平面図、（ｂ）は同上のシステムキッチンを示す正面図、（ｃ）は同上のシステムキッチンを示す左側面図、（ｄ）は同上のシステムキッチンを示す右側面図である。
【図２】（ａ）は同上のシステムキッチンを示す背面図、（ｂ）は同上のシステムキッチンにおける装飾パネルを取り外した状態を示す背面図である。
【図３】（ａ）は同上のシステムキッチンを示す縦断面図、（ｂ）は同上のシステムキッチンにおける装飾パネルを取り外した状態を示す縦断面図である。
【図４】（ａ）は同上の装飾パネルを示す正面図、（ｂ）は同上の装飾パネルを示す背面図、（ｃ）は（ａ）のＸ−Ｘ線に沿った断面図である。
【図５】（ａ）は同上のシステムキッチンに使用されている装飾パネルの載置部材を示す平面図、（ｂ）は同上の載置部材を示す正面図、（ｃ）は同上の載置部材を示す底面図、（ｄ）は同上の載置部材を示す背面図である。
【図６】同上の載置部材を示す端面図である。
【図７】（ａ）は同上の装飾パネルを取り付けた状態の背板下部を示す詳細図、（ｂ）は同上の装飾パネルを取り外した状態の背板下部を示す詳細図である。
【図８】同上の装飾パネルの取り付け方法を示す説明図である。
【図９】図８における装飾パネルの載置部材への載置状態を示す拡大図である。
【図１０】同上の装飾パネルの取り付け方法を示す説明図である。
【図１１】同上の装飾パネルの取り付けが完了した状態を示す図である。
【図１２】同上の装飾パネルの取り外し方法を示す説明図である。
【図１３】図１２における装飾パネルの載置部材への載置状態を示す拡大図である。
【図１４】同上の装飾パネルの取り外し方法を示す説明図である。
【図１５】図１４における装飾パネルが載置部材から外れた状態を示す部分拡大図である。
【図１６】（ａ）、（ｂ）は同上の装飾部材の変形例を用いた装飾パネルの取付構造を説明するための説明図である。
【図１７】（ａ）、（ｂ）は同上の装飾部材の他の変形例を用いた装飾パネルの取付構造を説明するための説明図である。
【発明を実施するための形態】
【００１８】
以下、実施の形態について図面を参照して説明する。図１〜図３は、台所Ｋ側とダイニングルームＤ側とを区画するように配設された対面型のシステムキッチン１を示している。このシステムキッチン１は、同図に示すように、上面開口部を有する複数のキャビネットユニット２ａ、２ｂ、２ｃからなるベースキャビネット２と、このベースキャビネット２の上面開口部に固定設置される、シンク５を有するカウンター４とを備えており、カウンター４には、ガスコンロ６等の器具が装着されると共に、中央に配置されるキャビネットユニット２ｂには食器洗濯乾燥機３が組み込まれている。
【００１９】
前記キャビネットユニット２ａ、２ｂ、２ｃは、背板１１の外面側の所定位置に上部横桟木１１ａ及び下部横桟木１１ｂがそれぞれ固定されており、それぞれの上部横桟木１１ａにベースキャビネット２の全幅と略同一長さの長尺の上部支持材１２を固定することによって、キャビネットユニット２ａ、２ｂ、２ｃが相互に連結されている。
【００２０】
前記カウンター４は、図３（ａ）、（ｂ）に示すように、ベースキャビネット２の背板１１からダイニングルームＤ側に張り出しており、その張出部４ａは、上部支持材１２に、その上部支持材１２と略同一長さのカウンター固定金具７を介して支持されていると共に、上部支持材１２の下方側には、キャビネットユニット２ａ、２ｂ、２ｃの背板１１を覆うように、３枚の装飾パネル２０が着脱自在に取り付けられている。なお、シンク側のキャビネットユニット２ａには、図２（ａ）、（ｂ）に示すように、中央の装飾パネル２０とシンク側の装飾パネル２０の境界部分に双方の装飾パネルの側端部を支持するための縦桟木１１ｃが背板１１に取り付けられている。
【００２１】
前記カウンター固定金具７の下端部は、上部支持材１２の下端面よりも１０ｍｍ程度下方側に張り出しており、図３（ａ）に示すように、載置部材３０に載置した装飾パネル２０の上端部を、上部支持材１２の下端面から張り出したカウンター固定金具７の下端部に係止させることで、装飾パネル２０が背板１１の外面に沿うように支持されている。なお、載置部材３０に載置した装飾パネル２０の上端部がカウンター固定金具７の下端部に支持された状態では、上部支持材１２の下端面と装飾パネル２０の上端面との間に５ｍｍ程度の隙間が形成されており、装飾パネル２０をさらに５ｍｍ程度持ち上げることができる状態となっている。
【００２２】
前記装飾パネル２０は、図４（ａ）〜（ｃ）に示すように、厚さ５．５ｍｍの合板によって長方形状に形成された枠材２２、この枠材２２の内側に収容された、中空ポリエステル繊維とバージンウールとを立体的に編み込んだ吸音材（登録商標「サーモウール」  （株）コスモプロジェクト製）２３、この吸音材２３の一方の外表面の中央部に配設された、活性炭シートと光触媒シートとをラミネートした複合シート２４からなる心板２１と、この心板２１における複合シート２４が配設されたほうの外表面及び端面を被覆する布地２５とから構成されており、複合シート２４は、光触媒シートが布地２５側を向くように配置されている。
【００２３】
前記載置部材３０は、図５（ａ）〜（ｄ）、図６及び図７（ａ）、（ｂ）に示すように、装飾パネル２０の全幅と略同一長さのアルミニウム成形品であり、装飾パネル２０を立てた状態で載置する載置面３０ａを有する本体部３１と、この本体部３１の載置面３０ａの前端縁から立ち上がる操作部３２と、本体部３１における後面の両端部に取り付けられた一対のマグネットユニット３３とを備えており、マグネットユニット３３のマグネットが、背板１１の外面側の所定位置で床面にねじ止めされた磁性体からなる縦断面Ｌ字状の保持金具１３に吸着されることで、装飾パネル２０を載置した載置部材３０が前後方向に位置決めされ、容易に位置ずれしないようになっている。
【００２４】
前記本体部３１は、前面板、後面板、上面板及び下面板によって、高さが２３．５ｍｍの角筒状に形成されており、上面板が後面板よりも後方側に張り出すことによって、装飾パネル２０の厚みと略同一幅の載置面３０ａが形成されていると共に、操作部３２は、操作しやすいように、上端部が前方側に僅かに張り出すことによって肉厚に形成されている。
【００２５】
また、本体部３１は、前面板の下端部が前方側に僅かに突出した突条３１ａを有しており、操作部３２を操作することによって、この突条３１ａを支点として、載置部材３０を前方側に回転させることができるようになっている。
【００２６】
以下、装飾パネル２０の着脱方法について説明する。まず、装飾パネル２０を取り付けるには、図８及び図９に示すように、背板１１の前方側（ダイニングルームＤ側）において、装飾パネル２０を載置部材３０の載置面３０ａに載置した状態で、装飾パネル２０を傾けて、その上端部を背板１１の外面に当接させた後、図１０に示すように、載置部材３０を背板１１側にスライドさせていき、マグネットユニット３３のマグネットを保持金具１３に吸着させると、図１１に示すように、装飾パネル２０の上端部が背板１１とカウンター固定金具７の下端部との間に挟み込まれ、装飾パネル２０が背板１１の外面に沿うように支持される。
【００２７】
このようにして取り付けられた装飾パネル２０を取り外すには、図１２及び図１３に示すように、装飾パネル２０が載置されている載置部材３０の操作部３２を操作して、載置部材３０を本体部３１の下端部の突条３１ａを支点として背板１１の前方側（図１３に円弧矢印で示す方向）に回転させることによって、装飾パネル２０を一旦持ち上げながら、載置部材３０を装飾パネル２０の下方位置から前方側に待避させると、図１４及び図１５に示すように、装飾パネル２０が載置部材３０から外れて床面上に落下して、装飾パネル２０の上端位置がカウンター固定金具７の下端部よりも下方側に移動し、カウンター固定金具７の下端部による装飾パネル２０の支持が解除されるので、装飾パネル２０の上端部を手前に引き出すようにして取り外せばよい。
【００２８】
以上のように、このシステムキッチン１のベースキャビネット２は、装飾パネル２０を載置部材３０に載置した状態で、その装飾パネル２０を持ち上げ可能に、装飾パネル２０の上端部がカウンター固定金具７の下端部に支持されているだけなので、上述したように、装飾パネル２０を傾けて載置部材３０に載せた状態で背板１１側に移動させながら、その上端部をカウンター固定金具７の下端部に支持するだけで、簡単に取り付けることができると共に、操作部３２を操作して載置部材３０を回転させるだけで、カウンター固定金具７の下端部による装飾パネル２０の上端部の支持が解除され、装飾パネル２０を簡単に取り外すことができる。このように、背板１１にパネルをねじ止めする場合とは異なり、パネルの着脱にドライバー等の工具を使用する必要がないので、装飾パネル２０の着脱作業が繁雑でなく、どのような人でも、自ら装飾パネル２０の着脱を行うことができる。
【００２９】
また、装飾パネル２０を背板１１にねじ止めしているわけではないので、固定用のねじが露出することもなく、デザイン面においても優れている。
【００３０】
また、載置部材３０は、本体部３１に取り付けたマグネットの磁気吸引力によって、床面に固着された磁性体からなる保持金具１３に載置部材３０が吸着されるので、載置部材３０が位置ずれし難いと共に、「カチャッ」という吸着音によって、装飾パネル２０の取付作業が完了したことを確認することができるという効果も得られる。
【００３１】
また、載置部材３０は、操作部３２が本体部３１における載置面３０ａの前端縁から立ち上がっているので、操作部３２が係止部としての機能も果たすことになり、本体部３１の載置面３０ａに載置した装飾パネル２０が載置部材３０から脱落することがない。
【００３２】
なお、上述した実施形態の載置部材３０は、床面にねじ止めされた縦断面Ｌ字状の保持金具１３の起立部にマグネットが吸着されるように、即ち、マグネットの吸着面が背板１１側を向くように、マグネットユニット３３が本体部３１の後面に取り付けられているが、これに限定されるものではなく、例えば、図１６（ａ）、（ｂ）に示すように、磁性体からなる平板状の保持金具１３Ａを床面にねじ止めし、この保持金具１３Ａにマグネットが吸着されるように、即ち、マグネットの吸着面が床面側を向くように、マグネットユニット３３を本体部３１の後面に取り付けた載置部材３０Ａを採用することも可能である。
【００３３】
また、上述した載置部材３０、３０Ａは、本体部３１が、前面板、後面板、上面板及び下面板からなる角筒状に形成されているが、これに限定されるものではなく、例えば、図１７（ａ）、（ｂ）に示すように、載置面３０Ｂａを形成している上面板が前面板に接続されていない本体部３１Ｂを備えた載置部材３０Ｂを採用することも可能であり、この載置部材３０Ｂのように、床面にねじ止めした平板状の保持金具１３Ｂを下面板に形成された嵌合溝３０Ｂｂに嵌合させることによって、載置部材３０Ｂの位置決めを行うようにしてもよい。
【００３４】
また、上述した実施形態では、システムキッチンのベースキャビネット２の背板１１の外面側に装飾パネル２０を着脱自在に取り付ける場合について説明したが、これに限定されるものではなく、床面から立ち上がる壁面に種々のパネルを着脱自在に取り付けたり、壁面に沿ってデスクや書棚を設置し、そのデスクの天面よりも上側の壁面に種々のパネルを着脱自在に取り付けたり、書棚における棚板間の壁面に種々のパネルを取り付けたりする場合にも、上述した載置部材を用いた本発明のパネルの取付構造及びパネルの取り外し方法を採用することができる。
【産業上の利用可能性】
【００３５】
本発明は、パネルを壁面等に取り付ける場合に利用することができる。
【符号の説明】
【００３６】
１  システムキッチン
２  ベースキャビネット
２ａ、２ｂ、２ｃ  キャビネットユニット
３  食器洗濯乾燥機
４  カウンター
４ａ  張出部
５  シンク
６  ガスコンロ
７  カウンター固定金具
１１  背板
１１ａ  上部横桟木
１１ｂ  下部横桟木
１１ｃ  縦桟木
１２  上部支持材
１３、１３Ａ、１３Ｂ  保持金具
２０  装飾パネル
２１  心板
２２  枠材
２３  吸音材
２４  複合シート
２５  布地
３０、３０Ａ、３０Ｂ  載置部材
３０ａ、３０Ｂａ  載置面
３０Ｂｂ  嵌合溝
３１、３１Ｂ  本体部
３１ａ  突条
３２  操作部
３３  マグネットユニット
Ｄ  ダイニングルーム
Ｋ  台所
【図１】
2014150866.tif 000003
【図２】
2014150866.tif 000004
【図３】
2014150866.tif 000005
【図４】
2014150866.tif 000006
【図５】
2014150866.tif 000007
【図６】
2014150866.tif 000008
【図７】
2014150866.tif 000009
【図８】
2014150866.tif 000010
【図９】
2014150866.tif 000011
【図１０】
2014150866.tif 000012
【図１１】
2014150866.tif 000013
【図１２】
2014150866.tif 000014
【図１３】
2014150866.tif 000015
【図１４】
2014150866.tif 000016
【図１５】
2014150866.tif 000017
【図１６】
2014150866.tif 000018
【図１７】
2014150866.tif 000019